(57)【要約】  本技術は、アンライセンス帯における安定した低遅延通信を実現することができるようにする通信装置および通信方法に関する。通信装置は、アンライセンス帯である第１の周波数帯域で通信を行う第１通信部と、第１の周波数帯域と異なるアンライセンス帯の第２の周波数帯域で通信を行う第２通信部とを備える。通信装置の制御部は、第１の通信装置から送信されてくる、第２の周波数帯域におけるリソースに関する情報に基づいて、第１の周波数帯域による通信と、第２の周波数帯域による通信とのうち、いずれかの周波数帯域を用いてデータを送信するように制御する。本技術は、例えば、IEEE802.11において規格化されている無線通信を行う通信装置等に適用できる。
2020145182.tif 000002
【特許請求の範囲】
【請求項１】
アンライセンス帯である第１の周波数帯域で通信を行う第１通信部と、
前記第１の周波数帯域と異なるアンライセンス帯の第２の周波数帯域で通信を行う第２通信部と、
第１の通信装置から送信されてくる、前記第２の周波数帯域におけるリソースに関する情報に基づいて、前記第１の周波数帯域による通信と、前記第２の周波数帯域による通信とのうち、いずれかの周波数帯域を用いてデータを送信するように制御する制御部と
を備える通信装置。
【請求項２】
前記第１通信部は、前記第１の周波数帯域において、自律分散的に通信機会を獲得する第１方式で通信を行い、
前記第２通信部は、前記第２の周波数帯域において、前記第１の通信装置が割り当てた通信機会を用いる第２方式で通信を行う
請求項１に記載の通信装置。
【請求項３】
前記制御部は、前記第１の周波数帯域による通信と、前記第２の周波数帯域による通信とのうち、送信が先に完了すると判断される周波数帯域を用いてデータを送信するように制御する
請求項１に記載の通信装置。
【請求項４】
前記制御部は、前記第１通信部または前記第２通信部のいずれか一方により、トラフィックに関する情報を、前記第１の通信装置に送信させる
請求項１に記載の通信装置。
【請求項５】
前記制御部は、前記第１の周波数帯域において送信抑制をしている期間に、前記リソースに関する情報に基づき、前記第２の周波数帯域を用いて通信を行わせる
請求項１に記載の通信装置。
【請求項６】
前記制御部は、第２の通信装置のリソース割り当てが利用されていないと判断された場合に、前記第２の通信装置のリソースを利用して、通信を行うように制御する
請求項１に記載の通信装置。
【請求項７】
前記第２の通信装置のリソース割り当てが利用されていないかの判断は、キャリアセンスに基づいて実施される
請求項６に記載の通信装置。
【請求項８】
前記第２の通信装置のリソース割り当てが利用されていないと判断された場合の通信は、前記第２の通信装置に割り当てられたリソース内で行われる
請求項６に記載の通信装置。
【請求項９】
前記第２の通信装置のリソース割り当てが利用されていないと判断された場合の通信は、リソースが割り当てられていない通信装置の通信方法に関する情報に基づいて行われる
請求項６に記載の通信装置。
【請求項１０】
前記リソースが割り当てられていない通信装置の通信方法に関する情報には、送信機会獲得方法に関する情報が含まれる
請求項９に記載の通信装置。
【請求項１１】
アンライセンス帯である第１の周波数帯域で通信を行う第１通信部と、
前記第１の周波数帯域と異なるアンライセンス帯の第２の周波数帯域で通信を行う第２通信部とを備える通信装置が、
第１の通信装置から送信されてくる、前記第２の周波数帯域におけるリソースに関する情報に基づいて、前記第１の周波数帯域による通信と、前記第２の周波数帯域による通信とのうち、いずれかの周波数帯域を用いてデータを送信するように制御する
通信方法。
【請求項１２】
アンライセンス帯である第１の周波数帯域で通信を行う第１通信部と、
前記第１の周波数帯域と異なるアンライセンス帯の第２の周波数帯域で通信を行う第２通信部と、
前記第１通信部または前記第２通信部を介して他の通信装置から取得したトラフィックに関する情報に基づいて、前記第２の周波数帯域における前記他の通信装置のリソースの割り当てを行う制御部と
を備える通信装置。
【請求項１３】
前記第１通信部は、前記第１の周波数帯域において、前記他の通信装置が自律分散的に通信機会を獲得する第１方式で通信を行い、
前記第２通信部は、前記第２の周波数帯域において、自身が割り当てた前記リソースを用いて前記他の通信装置が通信する第２方式で通信を行う
請求項１２に記載の通信装置。
【請求項１４】
前記他の通信装置のリソースの割り当ては、前記トラフィックに関する情報に含まれる、データの最大許容遅延時間に基づき決定される
請求項１２に記載の通信装置。
【請求項１５】
前記他の通信装置のリソースの割り当てには、複数の前記他の通信装置に同一のリソースを割り当てることを含む
請求項１２に記載の通信装置。
【請求項１６】
前記他の通信装置のリソースの割り当てに関する情報は、前記他の通信装置を含む複数の通信装置に送信される
請求項１２に記載の通信装置。
【請求項１７】
前記他の通信装置のリソースの割り当てに関する情報には、リソースが割り当てられていない他の通信装置が通信を行ってもよいことを示す情報を含む
請求項１６に記載の通信装置。
【請求項１８】
前記他の通信装置のリソースの割り当てに関する情報には、リソースが割り当てられていない他の通信装置が通信を行う場合の通信方法に関する情報を含む
請求項１６に記載の通信装置。
【請求項１９】
前記通信方法に関する情報には、送信機会獲得方法に関する情報を含む
請求項１８に記載の通信装置。
【請求項２０】
アンライセンス帯である第１の周波数帯域で通信を行う第１通信部と、
前記第１の周波数帯域と異なるアンライセンス帯の第２の周波数帯域で通信を行う第２通信部とを備える通信装置が、
前記第１通信部または前記第２通信部を介して他の通信装置から取得したトラフィックに関する情報に基づいて、前記第２の周波数帯域における前記他の通信装置のリソースの割り当てを行う
通信方法。
【発明の詳細な説明】
【技術分野】
【０００１】
本技術は、通信装置および通信方法に関し、特に、アンライセンス帯における安定した低遅延通信を実現することができるようにした通信装置および通信方法に関する。
【背景技術】
【０００２】
ファクトリーオートメーションや、携帯機器におけるオンラインゲームの普及など、低遅延で伝送すべきデータを含むユースケースが台頭している。キャリアセンスに基づき通信を行うアンライセンス帯の無線通信においても、これらのユースケースに対応するため、低遅延でデータを伝送する仕組みが望まれている。アンライセンス帯の無線通信では、各機器が自律分散的に通信機会を獲得して送信するランダムアクセス方式と、基地局等が集中制御的に割り当てた通信機会を用いて送信するスケジュールアクセス方式が可能である。【０００３】
ランダムアクセス方式は、各端末が自発的に通信機会の獲得を行うため、通信機会の割り当てに伴うオーバーヘッドがなく、遅延時間の低減が可能である。しかし、干渉によって通信機会が獲得出来ないことがあり遅延時間の最悪値が増加しうる。一方で、スケジュールアクセス方式は、一定の間隔で通信機会を獲得できるため、遅延時間の最悪値の低減が可能である。しかし、割り当てに伴うオーバーヘッドがあり、また割り当てられた通信機会まで送信できないため、遅延時間が増加しうる。【０００４】
特許文献１には、ライセンス帯で送信される制御情報に基づき、アンライセンス帯で送信する際のリソースをあらかじめ決められたリソースから指定する方法が示されている。しかし、キャリアセンスに基づき通信を行うアンライセンス帯の無線通信では、リソースが指定されても通信機会を獲得することが保障されず、送信までの遅延時間が増大する可能性がある。【０００５】
特許文献２には、LTE(Long Term Evolution)とNR(New Radio)をRAT(Radio Access Technology)として併用し、リソース割り当て無しで送信を可能にすることで低遅延化を実現する方法が示されている。しかし、遅延時間を担保するためにキャリアセンスが不要なライセンス帯を併用することが前提とされており、アンライセンス帯の通信には適応することは出来ない。
【先行技術文献】
【特許文献】
【０００６】
【特許文献１】特表２０１７−５３９１２３号公報
【特許文献２】特開２０１８−１６０８４７号公報
【発明の概要】
【発明が解決しようとする課題】
【０００７】
本技術は、このような状況に鑑みてなされたものであり、アンライセンス帯における安定した低遅延通信を実現することができるようにするものである。
【課題を解決するための手段】
【０００８】
本技術の第１の側面の通信装置は、アンライセンス帯である第１の周波数帯域で通信を行う第１通信部と、前記第１の周波数帯域と異なるアンライセンス帯の第２の周波数帯域で通信を行う第２通信部と、第１の通信装置から送信されてくる、前記第２の周波数帯域におけるリソースに関する情報に基づいて、前記第１の周波数帯域による通信と、前記第２の周波数帯域による通信とのうち、いずれかの周波数帯域を用いてデータを送信するように制御する制御部とを備える。【０００９】
本技術の第１の側面の通信方法は、アンライセンス帯である第１の周波数帯域で通信を行う第１通信部と、前記第１の周波数帯域と異なるアンライセンス帯の第２の周波数帯域で通信を行う第２通信部とを備える通信装置が、第１の通信装置から送信されてくる、前記第２の周波数帯域におけるリソースに関する情報に基づいて、前記第１の周波数帯域による通信と、前記第２の周波数帯域による通信とのうち、いずれかの周波数帯域を用いてデータを送信するように制御する。【００１０】
本技術の第１の側面においては、第１の通信装置から送信されてくる、第２の周波数帯域におけるリソースに関する情報に基づいて、アンライセンス帯である第１の周波数帯域による通信と、前記第１の周波数帯域と異なるアンライセンス帯の前記第２の周波数帯域による通信とのうち、いずれかの周波数帯域を用いてデータを送信するように制御がされる。【００１１】
本技術の第２の側面の通信装置は、アンライセンス帯である第１の周波数帯域で通信を行う第１通信部と、前記第１の周波数帯域と異なるアンライセンス帯の第２の周波数帯域で通信を行う第２通信部と、前記第１通信部または前記第２通信部を介して他の通信装置から取得したトラフィックに関する情報に基づいて、前記第２の周波数帯域における前記他の通信装置のリソースの割り当てを行う制御部とを備える。【００１２】
本技術の第２の側面の通信方法は、アンライセンス帯である第１の周波数帯域で通信を行う第１通信部と、前記第１の周波数帯域と異なるアンライセンス帯の第２の周波数帯域で通信を行う第２通信部とを備える通信装置が、前記第１通信部または前記第２通信部を介して他の通信装置から取得したトラフィックに関する情報に基づいて、前記第２の周波数帯域における前記他の通信装置のリソースの割り当てを行う。【００１３】
本技術の第２の側面においては、アンライセンス帯である第１の周波数帯域で通信を行う第１通信部または前記第１の周波数帯域と異なるアンライセンス帯の第２の周波数帯域で通信を行う第２通信部を介して他の通信装置から取得したトラフィックに関する情報に基づいて、前記第２の周波数帯域における前記他の通信装置のリソースの割り当てが行われる。【００１４】
通信装置は、独立した装置であっても良いし、１つの装置を構成している内部ブロックであっても良い。
【図面の簡単な説明】
【００１５】
【図１】本技術を適用した実施の形態である無線通信システムの構成例を示す図である。
【図２】図１の基地局APまたは子機STAとして動作する通信装置の構成例を示すブロック図である。
【図３】第１の通信処理を説明する図である。
【図４】第１の通信処理の子機STAの送信処理を説明するフローチャートである。
【図５】第１の通信処理の基地局APの受信処理を説明するフローチャートである。
【図６】トラフィックに関する情報の信号フォーマット例を示す図である。
【図７】リソースに関する情報の信号フォーマット例を示す図である。
【図８】第２の通信処理を説明する図である。
【図９】第２の通信処理の基地局APの受信処理を説明するフローチャートである。
【図１０】第２の通信処理の時間リソースがない通信装置による送信処理を説明するフローチャートである。
【図１１】リソースに関する情報の信号フォーマット例を示す図である。
【発明を実施するための形態】
【００１６】
以下、本技術を実施するための形態（以下、実施の形態という）について説明する。なお、説明は以下の順序で行う。
１．無線通信システムの構成例
２．通信装置の構成例を示すブロック図
３．第１の通信処理例
４．第２の通信処理例
【００１７】
＜１．無線通信システムの構成例＞
図１は、本技術を適用した実施の形態である無線通信システムの構成例を示している。
【００１８】
図１の無線通信システム１は、例えば、IEEE(Institute of Electrical and Electronic Engineers)802.11において規格化されている無線LAN(Local Area Network)を構成している。無線LANでは、基地局AP(Access Point)と、それに接続して通信を行う１以上の子機STA(Station)が、BSS（Basic Service Set）というネットワークを形成し、BSS単位で自律分散的に通信を開始することで無線通信が行われている。図１の無線通信システム１は、複数のBSSを含み、複数の基地局APと、各基地局APに接続する子機STAとにより構成される。
【００１９】
具体的には、無線通信システム１は、基地局AP１およびAP２と、子機STA１ａ，STA１ｂ，およびSTA２とにより構成され、子機STA１ａおよびSTA１ｂは、基地局AP１に接続する子機STAであり、子機STA２は、基地局AP２に接続する子機STAである。例えば、基地局AP１と子機STA１ａおよびSTA１ｂが１つのBSS（BSS１）を構成し、基地局AP２と子機STA２が１つのBSS（BSS２）を構成している。子機STA１ａおよびSTA１ｂは基地局AP１と無線通信を行い、子機STA２は基地局AP２と無線通信を行う。BSS１とBSS２は干渉する位置関係にある。
【００２０】
なお、無線通信システム１を構成するBSSの数、基地局APの数、および、各基地局APに接続して通信を行う子機STAの数は任意であり、図１に示した数に限定されるものではない。
【００２１】
＜２．通信装置の構成例を示すブロック図＞
図２は、図１の基地局APまたは子機STAとして動作する通信装置の構成例を示すブロック図である。
【００２２】
図２の通信装置１０は、制御部２１、通信部２２A、通信部２２B、および、電源部２３から構成される。
【００２３】
通信部２２A（第１通信部）と通信部２２B（第２通信部）は、制御部２１の制御にしたがい、互いに異なるアクセス方式または周波数帯を用いて無線通信を行う。通信部２２Aと通信部２２Bは、同一の構成を有している。すなわち、通信部２２Aと通信部２２Bは、制御部２１の制御によって無線通信を実行する際のアクセス方式または周波数帯が異なるが、実行可能なアクセス方式または周波数帯は同一である。通信部２２Aと通信部２２Bとで、アクセス方式または周波数帯の少なくとも一方が異なってもよいし、両方が異なっていてもよい。以下では、通信部２２Aと通信部２２Bとを区別する場合、第１の通信部２２Aと第２の通信部２２Bのように称し、通信部２２Aと通信部２２Bとを特に区別しない場合には、単に通信部２２と称する。
【００２４】
通信部２２が通信可能な周波数帯の例としては、IEEE802.11で規格化された無線LANの場合には、例えば、2.4GHz帯と5GHz帯とがある。また、通信部２２が通信可能なアクセス方式には、例えば、子機STAとしての各通信装置１０が自律分散的に通信機会を獲得して送信する方式（以下、ランダムアクセス方式と称する。）と、子機STAとしての各通信装置１０が基地局AP等が集中制御的に割り当てた通信機会を用いて送信する方式（以下、スケジュールアクセス方式と称する。）とがある。
【００２５】
2.4GHz帯と5GHz帯は、いずれも、いわゆるアンライセンス帯、すなわち、無線局免許を必要とせず、認証を取得した装置をユーザが自由に設置して利用できる周波数帯域である。通信装置１０は、このアンライセンス帯の２つの周波数帯の一方を、ランダムアクセス方式を用いて通信し、他方を、スケジュールアクセス方式を用いて通信する。
【００２６】
なお、例えば３以上のアンライセンス帯を用いて通信を行う場合には、通信装置１０は、３つ以上の通信部２２を備える構成とすることができる。その他のアンライセンス帯としては、例えば、6GHz帯を用いることができる。
【００２７】
通信部２２は、データ処理部３１、無線制御部３２、変復調部３３、信号処理部３４、チャネル推定部３５、無線インターフェース部３６ｉ、アンプ部３７ｉ、および、アンテナ３８ｉ（i=１，２，・・・,Ｎ）から構成される。無線インターフェース部３６ｉ、アンプ部３７ｉ、および、アンテナ３８ｉは、これらを組として、１組で構成してもよいし、２つ以上の組で構成してもよい。すなわち、添え字のi=１，２，・・・,ＮのＮは、１以上の正数である。無線インターフェース部３６ｉ、アンプ部３７ｉ、および、アンテナ３８ｉ（i=１，２，・・・,Ｎ）それぞれを特に区別する必要がない場合には、単に、無線インターフェース部３６、アンプ部３７、および、アンテナ３８とも称する。なお、１組の無線インターフェース部３６ｉ、アンプ部３７ｉ、および、アンテナ３８ｉは、１つの処理部として構成してもよい。アンプ部３７ｉは、無線インターフェース部３６ｉにその機能が内包されてもよい。通信部２２は、例えば、LSI(Large Scale Integration)で実現される。
【００２８】
通信部２２Aと通信部２２Bは、独立した構成要素であってもよく、通信部２２Aと通信部２２Bの一部の構成要素が、通信部２２Aと通信部２２Bとで共通化されてもよい。例えば、データ処理部３１、無線制御部３２、および、変復調部３３が通信部２２Aと通信部２２Bとで共通化されてもよい。通信部２２Aと通信部２２Bは、互いに制御及び情報の交換を行うことができる。
【００２９】
制御部２１は、例えばマイクロプロセッサ等のプロセッサや回路で構成され 、通信装置１０全体の動作を統括的に制御する。例えば、制御部２１は、通信部２２Aと通信部２２Bとのうち、どちらを用いて通信を行うかを判断し、通信部２２Aと通信部２２Bに指示する。具体的には、制御部２１は、通信部２２Aと通信部２２Bとのうち、送信が先に完了すると判断される方を用いて通信を行うように制御する。また、制御部２１は、通信部２２Aと通信部２２Bが実行する無線通信のアクセス方式や周波数帯も制御する。さらに、制御部２１は、電源部２３の制御も行う。制御部２１は、通信部２２Aおよび通信部２２Bの無線制御部３２と一体化してもよいし、通信部２２Aおよび通信部２２Bの無線制御部３２の少なくとも一部の機能を、無線制御部３２の代わりに実行してもよい。制御部２１と各通信部２２の無線制御部３２の制御により、以下で説明する無線通信動作が実行される。
【００３０】
通信部２２のデータ処理部３１は、データを送信するデータ送信時においては、上位層より入力されるデータに対し、無線送信のためのパケットを生成し、メディアアクセス制御(MAC(Media Access Control))のためのヘッダであるMACヘッダを付加する処理、誤り検出符号を付加する処理等の各種のデータ処理を実施し、処理後のデータ（パケット）を変復調部３３へ供給する。
【００３１】
また、データ処理部３１は、データを受信するデータ受信時においては、MACヘッダの解析、パケットの誤り検出、リオーダ処理等のデータ処理を実施し、処理後のデータを、上位層へ供給する。
【００３２】
無線制御部３２は、通信部２２内の各部間の情報の受け渡しを行う。例えば、無線制御部３２は、変復調部３３および信号処理部３４におけるパラメータ設定、データ処理部３１におけるパケットのスケジューリング、無線インターフェース部３６ｉ及びアンプ部３７ｉのパラメータ設定及び送信電力制御を行う。
【００３３】
変復調部３３は、データ送信時においては、データ処理部３１からの入力データに対して、無線制御部３２によって設定された符号化方式および変調方式に基づいて、符号化、インターリーブ、および、変調を行うことにより、データシンボルストリームを生成し、信号処理部３４へ供給する。
【００３４】
また、変復調部３３は、データ受信時においては、信号処理部３４からの入力データに対してデータ送信時と反対の処理（復号および復調）を行い、その結果得られるデータを、データ処理部３１または無線制御部３２へ供給する。
【００３５】
信号処理部３４は、データ送信時においては、必要に応じて変復調部３３からの入力データに対して空間分離に適応される信号処理を行い、得られた一つ以上の送信シンボルストリームを、無線インターフェース部３６１乃至３６Nへ供給する。
【００３６】
また、信号処理部３４は、データ受信時には、無線インターフェース部３６１乃至３６Nそれぞれから入力される受信シンボルストリームに対して信号処理を行い、必要に応じてストリームの空間分解を行って変復調部３３へ供給する。
【００３７】
チャネル推定部３５は、無線インターフェース部３６１乃至３６Nそれぞれからの入力信号のうち、プリアンブル部分及びトレーニング信号部分から伝搬路の複素チャネル利得情報を算出する。算出された複素チャネル利得情報は、無線制御部３２を介して変復調部３３での復調処理及び信号処理部３４での空間処理に利用される。
【００３８】
無線インターフェース部３６ｉは、データ送信時においては、信号処理部３４からの入力データをアナログ信号へ変換し、フィルタリング、および、搬送波周波数へのアップコンバート、位相制御を実施してアンプ部３７ｉへ供給する。
【００３９】
また、無線インターフェース部３６ｉは、データ受信時においては、アンプ部３７ｉからの入力に対してデータ送信時と反対の処理を実施し、信号処理部３４及びチャネル推定部３５へデータを供給する。
【００４０】
アンプ部３７ｉは、データ送信時においては、無線インターフェース部３６ｉから入力されたアナログ信号を所定の電力まで増幅し、アンテナ３８ｉへ供給する。アンテナ３８ｉは、アンプ部３７ｉから供給されるアナログ信号を電磁波として送信する。
【００４１】
また、アンプ部３７ｉは、データ受信時においては、アンテナ３８ｉから供給されたアナログ信号を所定の電力まで増幅し、無線インターフェース部３６ｉに供給する。アンテナ３８ｉは、他の通信装置１０から電磁波として送信されてくる送信信号を受信し、受信信号としてアンプ部３７ｉに供給する。
【００４２】
アンプ部３７ｉは、データ送信時の機能とデータ受信時の機能のうちの少なくとも一方を、無線インターフェース部３６ｉに含めることができる。また、データ送信時の機能とデータ受信時の機能の両方を、無線インターフェース部３６ｉに含める場合には、通信部２２は、アンプ部３７ｉなしで構成される。このアンプ部３７ｉは、送信時の機能と受信時の機能の少なくともどちらか一方の少なくとも一部が通信部２２外の構成要素となってもよい。
【００４３】
電源部２３は、バッテリ電源または固定電源で構成され、通信装置１０内の各部に対し電力を供給する。
【００４４】
図１の基地局APまたは子機STAとして動作する通信装置１０は、以上のように構成されている。以下において、基地局APまたは子機STAのいずれであるかを特に区別しない場合には、通信装置１０と称することとする。
【００４５】
＜３．第１の通信処理例＞
基地局APと子機STAとは、複数のアンライセンス帯を用いて、少なくとも１つの帯域でランダムアクセス方式による通信を行い、他の少なくとも１つの帯域でスケジュールアクセス方式による通信を行う。子機STAは、ランダムアクセス方式を用いる帯域で、遅延時間が一定のしきい値を超えることが予想される場合に、スケジュールアクセス方式の帯域で自身に割り当てられたリソースを用いて通信を行うことができる。なお、リソースには、時間に関する時間リソース、周波数に関する周波数リソース、空間ストリームに関する空間ストリームリソース、および、非直交多重アクセスに関する非直交多重アクセスリソースなどを含むが、以下では、特に時間リソースを割り当てて、通信を行う例について説明する。
【００４６】
（第１の通信処理の処理シーケンス）
図３を参照して、子機STA１ａと基地局AP１との通信例として、２つのアンライセンス帯と２つのアクセス方式を用いた通信処理（第１の通信処理）を説明する。
【００４７】
図３におけるCh.1は、ランダムアクセス方式を用いて通信が行われる周波数帯（以下、第１の周波数帯域とも称する。）である。Ch.2は、Ch.1とは異なる周波数帯であり、スケジュールアクセス方式を用いて通信が行われる周波数帯（以下、第２の周波数帯域とも称する。）である。
【００４８】
初めに、時刻ｔ１において、子機STA１ａは、自身が扱うトラフィックに関する情報(Traffic Info)を基地局AP１へ、第１の周波数帯域を用いたランダムアクセス方式により通知する。トラフィックに関する情報とは、子機STA１ａと基地局AP１とで送受信されるデータの特性を含む情報であり、例えば、送信するデータの最大許容遅延時間に関する情報、送信するデータの優先度に関する情報、データ量に関する情報、データの発生頻度に関する情報のいずれかを含む。データの最大許容遅延時間に関する情報は、上位層で動作するアプリケーションによって決定されてもよい。例えば、上位層が動画を扱うアプリケーションであり、そのアプリケーションにおいて、フレームの生成または選択に必要な時間に基づいて、データの最大許容遅延時間が決定され、子機STA１ａに指定される。また例えば、データの最大許容遅延時間に関する情報は、装置の機械的な動作を制御する制御信号の要求送信頻度に基づいて決定されてもよい。
【００４９】
トラフィックに関する情報の通知は、その情報を通知するための信号として送信されてもよく、接続を確立するための信号の一部として送信されてもよく、データを送信するための信号の一部として送信されてもよい。また、トラフィックに関する情報の通知は、基地局AP１からの要求に応じて送信されてもよい。トラフィックに関する情報の通知は、第１の周波数帯域または第２の周波数帯域のいずれで送信されてもよい。
【００５０】
時刻ｔ２において、トラフィックに関する情報を子機STA１ａから受信した基地局AP１は、受信したトラフィックに関する情報に基づき、第２の周波数帯域における子機STA１ａの時間リソースを決定する（時間リソースの割り当てを行う）。時間リソースの決定は、トラフィックに関する情報として受信したデータの最大許容遅延時間に基づき決定することができる。これにより、子機STA１ａが最大許容遅延時間以内にデータの送信を完了することができるようになる。
【００５１】
そして、時間リソースの決定後、基地局AP１は、リソースに関する情報(Schedule)を子機STA１ａに通知する。リソースに関する情報には、時間リソースに関する情報が少なくとも含まれる。時間リソースに関する情報には、例えば、時間リソースの開始時刻に関する情報、時間リソースの期間に関する情報などがある。
【００５２】
また、リソースに関する情報には、周波数リソースに関する情報を含んでもよい。例えば、周波数リソースに関する情報として、中心周波数及び周波数帯域幅に関する情報を含むことができる。さらに、リソースに関する情報には、空間ストリームリソースに関する情報を含んでもよく、例えば、空間ストリームが特定される情報を含むことができる。
【００５３】
さらに、リソースに関する情報には、送信電力に関する情報、インターリーブパターンに関する情報などの非直交多重アクセスリソースに関する情報を含んでもよい。リソースに関する情報は、過去に割り当てられたリソースと同一であることを通知しても良い。また、第２の周波数帯域における子機STA１ａのリソース割り当てが無いことを、リソースに関する情報として通知してもよい。
【００５４】
リソースに関する情報の通知は、リソースに関する情報を通知するための信号として送信されてもよく、接続を確立するための信号の一部として送信されてもよく、ビーコンフレームのような定期的に送信される信号の一部として送信されてもよく、データを送信するための信号の一部として送信されてもよい。リソースに関する情報の通知は、子機STA１ａ宛てのユニキャストとして送信されてもよく、子機STA１ａを含むグループに属する複数の通信装置１０宛て（グループアドレス）に送信されてもよく、通信装置１０を指定せずにブロードキャストとして（ブロードキャストアドレスに）送信されてもよい。リソースに関する情報の通知は、子機STA１ａから通知されたトラフィックに関する情報の通知に応答して送信されてもよい。リソースに関する情報の通知は、第１の周波数帯域または第２の周波数帯域のいずれで送信されてもよく、子機STA１ａから通知されたトラフィックに関する情報の通知と同一の周波数帯でも、異なる周波数帯でもよい。
【００５５】
時刻ｔ３に、子機STA１ａの上位層から送信データが子機STA１ａに供給されたとする。すなわち、時刻ｔ３に、子機STA１ａにおいて送信データが発生した場合、子機STA１ａは、第１の周波数帯域において衝突回避メカニズムに基づき送信機会の獲得を試みる。衝突回避メカニズムは、例えばIEEE802.11規格におけるバックオフプロセスに基づくメカニズム(Back-off)を採用することができる。
【００５６】
子機STA１ａは、送信機会の獲得を試みる途中で、他の通信装置１０（例えば、子機STA１ｂ）による通信を検知した場合、送信機会の獲得の試みを停止する。この時、子機STA１ａは、停止を維持する期間（停止維持期間）を算出する。停止維持期間の算出は、通信中の他の通信装置１０による通信に含まれる信号の情報に基づき実施される。通信中の他の通信装置１０から情報が取得できない場合には、子機STA１ａは、例えば、事前に決められた所定の期間を、停止維持期間に設定する。例えば、NAV（Network Allocation Vector）と称される送信禁止区間を停止維持期間とすることができる。
【００５７】
停止維持期間の算出の結果、送信データの送信完了までの時間が、上述したデータの最大許容遅延時間を超えると想定される場合、子機STA１ａは、第２の周波数帯域において子機STA１ａに割り当てられた時間リソースを用いてデータを送信する。例えば、第２の周波数帯域において子機STA１ａに割り当てられた時間リソースが、時刻ｔ４から時刻ｔ７までの期間である場合、時刻ｔ４以降の時刻ｔ５において、子機STA１ａは、第２の周波数帯域において送信データ(Data)を基地局AP１へ送信する。
【００５８】
送信データの送信完了までの時間は、例えば、停止した送信機会の獲得の状態、送信データを含む送信信号の長さ、基地局AP１から送信される応答信号(Ack)の長さ、及び、応答信号が送信されるまでの時間などに基づいて決定することができる。
【００５９】
子機STA１ａが第２の周波数帯域においてデータの送信を行う際、送信前にキャリアセンスを行い、他の通信が行われていないことを確認してもよい。
【００６０】
第２の周波数帯域において子機STA１ａからのデータを受信した基地局AP１は、時刻ｔ６において、その受信結果に基づき、子機STA１ａへ応答信号(Ack)を送信する。
【００６１】
上述の例では、子機STA１ａが、自身に割り当てられた時間リソースを用いて、自分からデータを送信したが、基地局AP１からの送信を誘起する信号（送信誘起信号）に基づいて、データを送信するようにしてもよい。その場合、基地局AP１は、子機STA１ａに割り当てた時間リソースとなったタイミングで子機STA１ａに送信誘起信号を送信し、子機STA１ａは、送信誘起信号に基づき、データの送信を行う。また、第１の周波数帯域において送信機会を獲得して送信する場合よりも先に、送信を完了できる時間リソースの割り当てがある場合には、子機STA１ａは、第１の周波数帯域において送信機会の獲得を試みることなく、第２の周波数帯域の時間リソースを用いて、データを送信することができる。これにより、遅延時間の最小化を行うことができる。
【００６２】
第２の周波数帯域における子機STA１ａの時間リソースの割り当ては、複数設定することができる。他の時間リソースは、１つの時間リソースより前の時刻となるように決定されてもよいし、後の時刻となるように決定されてもよい。複数の時間リソースが設定される場合、各時間リソースの設定は、上記の１つの時間リソースの割り当ての場合と同様に行われる。すなわち、時刻ｔ２において、基地局AP１から子機STA１ａに通知されるリソースに関する情報(Schedule)には、複数の時間リソースについての時間リソースに関する情報が含まれる。例えば、各時間リソースについて、上述した、時間リソースの開始時刻に関する情報、時間リソースの期間に関する情報などが含まれる。また、複数の時間リソースの周期（複数の時間リソースどうしの間隔）に関する情報や、時間リソースの数に関する情報を含んでもよい。リソースに関する情報には、各時間リソースにおける周波数リソースに関する情報、空間ストリームリソースに関する情報、または、非直交多重アクセスリソースに関する情報などを含んでもよい。リソースに関する情報は、複数の時間リソースにおいて同一の周波数リソース、空間ストリームリソース、または、非直交多重アクセスリソースを用いることが含まれてもよい。
【００６３】
子機STA１ａは、割り当てられた複数の時間リソースのなかから、最大許容遅延時間の要求を満たすことができる時間リソースを選択して、データを送信する。特に、割り当てられた複数の時間リソースのなかから、最も早い時刻の時間リソースを選択してデータを送信した場合、最大許容遅延時間を担保しながら、遅延時間の短縮を行うことが可能となる。
【００６４】
第１の周波数帯域または第２の周波数帯域のいずれかのリソースで送信を完了した子機STA１ａは、送信完了以降に第２の周波数帯域における自身宛の時間リソースが残っている場合、それらの時間リソースが不要であることを示す情報を、基地局AP１宛にユニキャストまたはブロードキャストで通知することができる。これにより、不要となった第２の周波数帯域の時間リソースを他の通信が使用することが可能となる。
【００６５】
基地局AP１の通信相手となる子機STA１が複数存在する場合、第２の周波数帯域における時間リソースは、各子機STA１に対して割り当てることができる。各子機STA１に対して割り当てられるリソースは、時間リソース、周波数リソース、空間ストリームリソース、または非直交多重アクセスリソースのいずれかが直交しており、同一のリソース割り当てとならないように決定することができる。これにより、複数の子機STA１の通信が衝突しないようにすることができる。また、複数の子機STA１の一部に同一のリソースを割り当ててもよい。これにより、第２の周波数帯域における時間リソースが割り当てられた子機STA１の一部が、第１の周波数帯域において送信を完了した場合に、同一の時間リソースが割り当てられた他の子機STA１が空いた時間リソースを使って通信することができるので、第２の周波数帯域における時間リソースが使用されずに通信効率が低下することを防ぐことができる。
【００６６】
また、子機STA１ａ及び基地局AP１を統括する統括通信装置が存在する場合には、子機STA１ａは自身が扱うトラフィックに関する情報を、統括通信装置に通知してもよい。その場合、統括通信装置が基地局AP１の代わりに、子機STA１ａの時間リソースを含むリソースの割り当てを決定し、リソースに関する情報を子機STA１ａに通知する。
【００６７】
図３のシーケンスに先立って、子機STA１ａと基地局AP１は、第１の周波数帯域及び第２の周波数帯域における通信が可能であるかを互いに確認する処理、第１の周波数帯域及び第２の周波数帯域のいずれかで接続を確立する処理を実行することができる。また、図３のシーケンスに先立って、子機STA１ａと基地局AP１は、上述した時間リソース割り当てに対応した機能を備えているかを互いに確認する処理を行うことができる。
【００６８】
（子機STA１ａの送信処理）
図４は、図３で説明したシーケンスのうち、データの送信側である子機STA１ａの送信処理を説明するフローチャートである。
【００６９】
初めに、ステップＳ１において、子機STA１ａは、自身が扱うトラフィックに関する情報(Traffic Info)を基地局AP１へ通知する。
【００７０】
トラフィックに関する情報を通知後、子機STA１ａは、ステップＳ２において、基地局AP１から送信されてくるリソースに関する情報を受信する。
【００７１】
ステップＳ３において、子機STA１ａは、送信データが発生したか、すなわち、上位層から送信データが子機STA１ａに供給されたかを判定する。そして、送信データが発生したと判定されるまで、ステップＳ３の処理が繰り返され、送信データが発生したと判定された場合、処理がステップＳ４に進む。
【００７２】
ステップＳ４において、子機STA１ａは、第２の周波数帯域において、第１の周波数帯域で送信機会を獲得して送信するよりも先に送信を完了できる時間リソースの割り当てがあるかを判定する。
【００７３】
ステップＳ４で、第２の周波数帯域において先に送信完了できる時間リソースの割り当てがあると判定された場合、処理はステップＳ５に進み、子機STA１ａは、第２の周波数帯域において指定された時間リソースを用いて、データの送信を開始する。データの送信完了後、図４の送信処理が終了する。
【００７４】
一方、ステップＳ４で、第２の周波数帯域において先に送信完了できる時間リソースの割り当てがないと判定された場合、処理はステップＳ６に進み、子機STA１ａは、第１の周波数帯域において衝突回避メカニズムに基づき送信機会の獲得を開始する。
【００７５】
ステップＳ６の後、ステップＳ７において、子機STA１ａは、第１の周波数帯域における送信機会獲得の途中で、送信を抑制する必要があるか、換言すれば、他の通信装置１０（例えば、子機STA１ｂ）による通信を検知したかを判定する。
【００７６】
ステップＳ７で、送信を抑制する必要があると判定された場合、処理はステップＳ８に進み、子機STA１ａは、第２の周波数帯域において、第１の周波数帯域で送信機会を獲得して送信するよりも先に送信を完了できる時間リソースの割り当てがあるかを判定する。
【００７７】
ステップＳ８で、第２の周波数帯域において先に送信完了できる時間リソースの割り当てがあると判定された場合、処理は、上述したステップＳ５に進む。ステップＳ５において、子機STA１ａは、第２の周波数帯域において指定された時間リソースを用いて、データの送信を開始する。
【００７８】
一方、ステップＳ７で、送信を抑制する必要がないと判定された場合、または、ステップＳ８で、第２の周波数帯域において先に送信完了できる時間リソースの割り当てがないと判定された場合、処理はステップＳ９に進む。ステップＳ９では、子機STA１ａは、第１の周波数帯域において衝突回避メカニズムに基づき送信機会を獲得し、データの送信を開始する。データの送信完了後、図４の送信処理が終了する。
【００７９】
以上の送信処理によれば、子機STA１ａは、第１の周波数帯域と第２の周波数帯域とのうち、先に送信完了できると判断される周波数帯域を用いてデータを送信する。
【００８０】
（基地局AP１の受信処理）
図５は、図３のシーケンスのうち、データの受信側である基地局AP１の受信処理を説明するフローチャートである。
【００８１】
初めに、ステップＳ２１において、基地局AP１は、子機STA１ａからトラフィックに関する情報を受信したかを判定し、トラフィックに関する情報を受信したと判定されるまで待機する。
【００８２】
ステップＳ２１で、トラフィックに関する情報を受信したと判定された場合、処理はステップＳ２２に進み、基地局AP１は、受信したトラフィックに関する情報を取得する。そして、基地局AP１は、取得したトラフィックに関する情報に基づき、第２の周波数帯域における子機STA１ａの時間リソースを決定する（時間リソースの割り当てを行う）。
【００８３】
ステップＳ２３において、基地局AP１は、リソースに関する情報を子機STA１ａに通知する。リソースに関する情報には、第２の周波数帯域における子機STA１ａの時間リソースに関する情報が少なくとも含まれる。
【００８４】
ステップＳ２４において、基地局AP１は、第１の周波数帯域において子機STA１ａからデータを受信したかを判定する。ステップＳ２４で、第１の周波数帯域において子機STA１ａからデータを受信したと判定された場合、処理は、後述するステップＳ２６に進む。
【００８５】
一方、ステップＳ２４で、第１の周波数帯域において子機STA１ａからデータを受信していないと判定された場合、処理はステップＳ２５に進み、基地局AP１は、第２の周波数帯域において子機STA１ａからデータを受信したかを判定する。
【００８６】
ステップＳ２５で、第２の周波数帯域において子機STA１ａからデータを受信したと判定された場合、処理はステップＳ２６に進み、基地局AP１は、子機STA１ａへ応答信号(Ack)を送信する。したがって、第１の周波数帯域または第２の周波数帯域のいずれかでデータを受信した場合、子機STA１ａへ応答信号(Ack)が送信され、図５の受信処理が終了する。
【００８７】
一方、ステップＳ２５で、第２の周波数帯域において子機STA１ａからデータを受信していないと判定された場合も、図５の受信処理が終了する。
【００８８】
図６は、子機STA１ａから基地局AP１へ送信されるトラフィックに関する情報(Traffic Info)の信号フォーマット例を示している。
【００８９】
Signal Typeには、この信号がトラフィックに関する情報を通知する信号であることを示す情報が含まれる。Lengthには、この信号の長さに関する情報が含まれる。Maximum Acceptable Delayには、送信するデータの最大許容遅延時間に関する情報が含まれる。Priorityには、送信するデータの優先度に関する情報が含まれる。Data Amountには、データ量に関する情報が含まれる。Frequency of Dataには、データの発生頻度に関する情報が含まれる。
【００９０】
図７は、基地局AP１から子機STA１ａへ送信されるリソースに関する情報の信号フォーマット例を示している。
【００９１】
Signal Typeには、この信号がリソースに関する情報を通知する信号であることを示す情報が含まれる。Lengthには、この信号の長さに関する情報が含まれる。
【００９２】
Allocated IDには、リソースが割り当てられた通信装置（いまの例では、子機STA１ａ）の識別子に関する情報が含まれる。
【００９３】
Time Resourceには、時間リソースに関する情報が含まれる。Frequency Resourceには、周波数リソースに関する情報が含まれる。
【００９４】
Spatial Stream Resourceには、空間ストリームリソースに関する情報が含まれる。NOMA Resourceには、非直交多重アクセスリソースに関する情報が含まれる。
【００９５】
Inherit Resourceには、過去に割り当てられたリソースと同一のリソースを使用することを示す情報が含まれる。
【００９６】
No Allocationには、リソース割り当てが無いこと示す情報が含まれる。
【００９７】
＜４．第２の通信処理例＞
次に、第２の通信処理例について説明する。
【００９８】
以下で説明する第２の通信処理例は、第１の通信処理例と同様に、子機STA１ａに第２の周波数帯域において所定の時間リソースが割り当てられるが、子機STA１ａが割り当てられた第２の周波数帯域の時間リソースが利用されていないと判断された場合に、その時間リソースを利用して他の通信装置１０が通信を行う例である。
【００９９】
子機STA１ａに割り当てられた未使用の時間リソースを利用して通信を行う他の通信装置１０として、基地局AP２と子機STA２とが通信を行う例を説明する。
【０１００】
（第２の通信処理の処理シーケンス）
図８を参照して、基地局AP１および子機STA１ａと、基地局AP２および子機STA２とによる第２の通信処理を説明する。なお、第２の通信処理において、以下で説明しない部分の動作は、上述した第１の通信処理と同様である。
【０１０１】
図８におけるCh.1およびCh.2は、図３と同様である。すなわち、Ch.1は、基地局AP１と子機STA１ａとの間でランダムアクセス方式を用いて通信が行われる周波数帯（第１の周波数帯域）である。Ch.2は、Ch.1とは異なる周波数帯であり、基地局AP１と子機STA１ａとの間でスケジュールアクセス方式を用いて通信が行われる周波数帯（第２の周波数帯域）である。
【０１０２】
初めに、時刻ｔ４１において、子機STA１ａは、自身が扱うトラフィックに関する情報(Traffic Info)を基地局AP１へ、第１の周波数帯域を用いたランダムアクセス方式により通知する。
【０１０３】
トラフィックに関する情報を子機STA１ａから受信した基地局AP１は、時刻ｔ４２において、受信したトラフィックに関する情報に基づき、第２の周波数帯域における子機STA１ａの時間リソースを決定する（時間リソースの割り当てを行う）。
【０１０４】
そして、時間リソースの決定後、基地局AP１は、リソースに関する情報(Schedule)を子機STA１ａに通知する。この際、基地局AP１は、子機STA１ａを含むグループに属する複数の子機STA宛て（グループアドレス）、または、通信装置１０を指定せずにブロードキャストとして（ブロードキャストアドレスに）送信する。グループアドレスまたはブロードキャストアドレスには、第２の周波数帯域の時間リソースが割り当てられていない子機STA２が少なくとも含まれる。したがって、子機STA２も、子機STA１ａに割り当てられた第２の周波数帯域の時間リソースに関する情報を知ることができる。
【０１０５】
基地局AP１から送信されるリソースに関する情報には、第２の周波数帯域の時間リソースが割り当てられていない通信装置１０（例えば、子機STA２）が、他の通信装置１０に割り当てられた時間リソースの少なくともいずれかを用いて通信を行ってよいことを示す情報が含まれてもよい。また、リソースに関する情報には、時間リソースが割り当てられていない通信装置１０が通信を行う場合の通信方法に関する情報が含まれてもよい。この通信方法に関する情報には、例えば送信機会獲得方法に関する情報が含まれる。送信機会獲得方法に関する情報には、例えば、衝突回避メカニズムに関する情報、送信開始までの最低待機時間に関する情報を含むことができる。さらに衝突回避メカニズムに関する情報には、例えば、衝突回避メカニズムの実施の有無に関する情報や、衝突回避メカニズムで用いるパラメータに関する情報などが挙げられる。
【０１０６】
時刻ｔ４３に、子機STA１ａの上位層から送信データが子機STA１ａに供給されたとする。すなわち、時刻ｔ４３に、子機STA１ａにおいて送信データが発生した場合、子機STA１ａは、第１の周波数帯域において衝突回避メカニズムに基づき送信機会の獲得を試みる。そして、送信機会を得ることができ、時刻４４に、子機STA１ａは、第１の周波数帯域において送信データ(Data)を基地局AP１へ送信する。基地局AP１は、第１の周波数帯域において子機STA１ａからのデータを受信し、時刻ｔ４５において、その受信結果に基づき、子機STA１ａへ応答信号(Ack)を送信する。
【０１０７】
子機STA１ａが第１の周波数帯域においてデータを送信することができたので、自身に割り当てられた第２の周波数帯域の時間リソース、具体的には、時刻ｔ４６から時刻ｔ４９までの期間を使用しない状態が発生する。子機STA１ａは、自身に割り当てられた第２の周波数帯域の時間リソースが不要であることを示す情報を、グループに属する複数の通信装置１０宛てまたはブロードキャストで送信してもよい。
【０１０８】
時刻ｔ４６において、子機STA２は、子機STA１ａに割り当てられた第２の周波数帯域の時間リソースにおいて他の通信が行われていないことを判断し、送信機会の獲得を行う。子機STA１ａに割り当てられた第２の周波数帯域の時間リソースにおいて他の通信が行われていないことの判断は、基地局AP１から通知されたリソースに関する情報、または、子機STA１ａから通知された時間リソースが不要であることを示す情報に基づいて行うことができる。あるいはまた、キャリアセンスに基づき、他の通信が実施されていないことを検知して判断してもよい。送信機会の獲得は、リソースに関する情報に含まれる、リソースが割り当てられていない通信装置１０が通信を行う場合の送信機会獲得方法に関する情報にしたがって行うことができる。
【０１０９】
送信機会を獲得した子機STA２は、時刻ｔ４６から時刻ｔ４９の時間リソース内で、通信を行う。すなわち、送信信号の長さ、送信信号に対する応答信号の長さ、及び、応答信号が送信されるまでの時間が、時刻ｔ４６から時刻ｔ４９の期間を超えないように、通信が調整されて実施される。時刻ｔ４７において、子機STA２は、第２の周波数帯域において基地局AP２へデータを送信し、基地局AP２は、子機STA２からのデータを受信して、時刻ｔ４８において、子機STA２へ応答信号(Ack)を送信する。応答信号を子機STA２が受信するまでの時刻が、時刻ｔ４９を超えないように調整される。
【０１１０】
１回のデータ送信後の残りの時間リソースが、次のデータ送信を完了するための時間よりも多い場合、換言すれば、次のデータ送信を行う場合の、送信機会獲得までにかかる時間、送信信号の長さ、送信信号に対する応答信号の長さ、及び、応答信号が送信されるまでの時間の合計時間が、時間リソースの残り時間よりも短い場合には、子機STA２は新たに送信機会の獲得を行ってもよい。
【０１１１】
なお、図８に示した例では、子機STA１ａが使用しない第２の周波数帯域の時間リソースを利用する他の通信装置１０が、子機STA１ａと異なるBSSの基地局AP２と子機STA２であるとして説明した。
【０１１２】
しかし、子機STA１ａが使用しない第２の周波数帯域の時間リソースを利用する他の通信装置１０は、子機STA１ａと同一のBSSの子機STA１ｂであってもよい。この場合、図８で説明した子機STA２の処理が、子機STA１ｂが行う処理となり、基地局AP２の処理が、基地局AP１が行う処理となる。
【０１１３】
（基地局AP１の受信処理）
図９は、図８で説明したシーケンスのうち、基地局AP１の受信処理を説明するフローチャートである。
【０１１４】
なお、図９の基地局AP１による受信処理には、子機STA１ａと同一のBSSの子機STA１ｂが、子機STA１ａが使用しない第２の周波数帯域の時間リソースを利用する場合の処理も含まれている。
【０１１５】
初めに、ステップＳ４１において、基地局AP１は、子機STA１ａからトラフィックに関する情報を受信したかを判定し、トラフィックに関する情報を受信したと判定されるまで待機する。
【０１１６】
ステップＳ４１で、トラフィックに関する情報を受信したと判定された場合、処理はステップＳ４２に進み、基地局AP１は、受信したトラフィックに関する情報に基づき、第２の周波数帯域における子機STA１ａの時間リソースを決定する（時間リソースの割り当てを行う）。
【０１１７】
ステップＳ４３において、基地局AP１は、第２の周波数帯域における時間リソースが割り当てられていない通信装置１０が通信を行う場合の送信機会獲得方法を決定する。
【０１１８】
ステップＳ４４において、基地局AP１は、リソースに関する情報を、第２の周波数帯域の時間リソースを割り当てた子機STA１ａを含む複数の通信装置１０（例えば、子機STA１ｂ，基地局AP２，子機STA２）に通知する。リソースに関する情報には、第２の周波数帯域における子機STA１ａの時間リソースに関する情報と、第２の周波数帯域の時間リソースが割り当てられていない通信装置１０が通信を行う場合の送信機会獲得方法に関する情報が少なくとも含まれる。
【０１１９】
ステップＳ４５において、基地局AP１は、第１の周波数帯域において子機STA１ａからデータを受信したかを判定する。ステップＳ４５で、第１の周波数帯域において子機STA１ａからデータを受信したと判定された場合、処理はステップＳ４６に進む。ステップＳ４６では、基地局AP１は、受信したデータを取得し、子機STA１ａに応答信号(Ack)を送信する。ステップＳ４６の後、処理はステップＳ４９に進む。
【０１２０】
一方、ステップＳ４５で、第１の周波数帯域において子機STA１ａからデータを受信していないと判定された場合、処理はステップＳ４７に進み、基地局AP１は、第２の周波数帯域において子機STA１ａからデータを受信したかを判定する。ステップＳ４７で、第２の周波数帯域において子機STA１ａからデータを受信したと判定された場合、処理はステップＳ４８に進み、基地局AP１は、受信したデータを取得し、子機STA１ａに応答信号(Ack)を送信して、図９の受信処理が終了する。
【０１２１】
一方、ステップＳ４７で、第２の周波数帯域において子機STA１ａからデータを受信していないと判定された場合、処理はステップＳ４９に進み、基地局AP１は、第２の周波数帯域において時間リソースが割り当てられていない子機STA１ｂからデータを受信したかを判定する。子機STA１ｂからデータを受信した場合とは、子機STA１ａに割り当てられた第２の周波数帯域の時間リソースが使用されず、同一BSSの子機STA１ｂが、その空いた時間リソースを利用してデータを送信してきた場合である。
【０１２２】
ステップＳ４９で、第２の周波数帯域において時間リソースが割り当てられていない子機STA１ｂからデータを受信したと判定された場合、処理はステップＳ５０に進み、基地局AP１は、受信したデータを取得し、時間リソースが割り当てられていない子機STA１ｂに、応答信号(Ack)を送信して、図９の受信処理が終了する。
【０１２３】
一方、ステップＳ４９で、第２の周波数帯域において時間リソースが割り当てられていない子機STA１ｂからデータを受信していないと判定された場合、図９の受信処理が終了する。
【０１２４】
（他の通信装置１０による送信処理）
図１０は、図８で説明したシーケンスのうち、第２の周波数帯域の時間リソースが割り当てられていない通信装置１０による送信処理を説明するフローチャートである。図８の例では、子機STA２の処理に相当し、図９のフローチャートでは、子機STA１ｂの処理に相当する。以下では、子機STA１ｂの処理として説明する。
【０１２５】
初めに、ステップＳ６１において、子機STA１ｂは、基地局AP１から、リソースに関する情報を受信したかを判定する。リソースに関する情報には、第２の周波数帯域における子機STA１ａの時間リソースに関する情報と、第２の周波数帯域の時間リソースが割り当てられていない通信装置１０が通信を行う場合の送信機会獲得方法に関する情報が少なくとも含まれる。ステップＳ６１の処理は、基地局AP１からリソースに関する情報を受信したと判定されるまで繰り返され、ステップＳ６１で、基地局AP１からリソースに関する情報を受信したと判定された場合、処理がステップＳ６２に進められる。
【０１２６】
ステップＳ６２において、子機STA１ｂは、子機STA１ａに割り当てられた第２の周波数帯域の時間リソースにおいて他の通信が行われていないことを判定し、送信機会の獲得を開始し、処理をステップＳ６３に進める。
【０１２７】
ステップＳ６３において、子機STA１ｂは、送信機会を獲得したかを判定する。ステップＳ６３で、送信機会を獲得していないと判定された場合、処理はステップＳ６５に進む。一方、ステップＳ６３で、送信機会を獲得したと判定された場合、処理はステップＳ６４に進み、子機STA１ｂは、子機STA１ａに割り当てられた第２の周波数帯域の時間リソースを利用して、データを基地局AP１に送信し、処理をステップＳ６５に進める。
【０１２８】
ステップＳ６５において、子機STA１ｂは、残りの第２の周波数帯域の時間リソースで、次のデータ送信を完了することができるかを判定する。
【０１２９】
ステップＳ６５で、残りの第２の周波数帯域の時間リソースで、次のデータ送信を完了することができると判定された場合、処理はステップＳ６３に戻り、子機STA１ｂは、上述したステップＳ６３乃至Ｓ６５の処理を再度実行する。すなわち、子機STA１ｂは、残りの時間リソースで、送信機会の獲得を試み、次のデータを基地局AP１に送信する。
【０１３０】
一方、ステップＳ６５で、残りの第２の周波数帯域の時間リソースで、次のデータ送信を完了することができないと判定された場合、図１０の送信処理が終了する。
【０１３１】
図１１は、第２の通信処理において基地局AP１から、子機STA１ａを含む複数の通信装置１０へ送信されるリソースに関する情報の信号フォーマット例を示している。
【０１３２】
Signal Typeには、この信号がリソースに関する情報を通知する信号であることを示す情報が含まれる。
【０１３３】
Lengthには、この信号の長さに関する情報が含まれる。
【０１３４】
Non-allocated Transmissionには、リソースが割り当てられていない通信装置１０が通信を行ってよいことを示す情報が含まれる。
【０１３５】
Obtaining Transmission Opportunityには、ソースが割り当てられていない通信装置１０が通信を行う場合の送信機会獲得方法に関する情報が含まれる。
【０１３６】
なお、図８で説明した時刻ｔ４２におけるリソースに関する情報の通知は、第１の通信処理で説明した図７のリソースに関する情報と、図１１のリソースに関する情報とをまとめて１つのリソースに関する情報の信号として送信してもよいし、別々に送信してもよい。
【０１３７】
以上の通信装置１０を用いた基地局APと子機STAとで構成される無線通信システム１によれば、遅延時間の低減が可能なランダムアクセス方式と、遅延時間の最悪値を保障することが可能なスケジュールアクセス方式を併用することが可能となり、アンライセンス帯における安定した低遅延通信を実現することができる。
【０１３８】
また、第２の通信処理例のように、所定の子機STAに割り当てられたスケジュールアクセス方式を用いる周波数帯域（上述の例では第２の周波数帯域）の時間リソースが使用されていない場合に、他の通信装置１０が、空いた時間リソースを利用して通信することで、スケジュールアクセス方式を用いる周波数帯域において確保したリソース（時間リソース）が使用される頻度を上げ、リソースが使用されないために通信効率が低下することを防ぐことを可能とする。
【０１３９】
上述した第１の通信処理例において、複数の子機STAに同一の時間リソースを割り当てるようにした場合にも、スケジュールアクセス方式を用いる周波数帯域において確保したリソース（時間リソース）が使用される頻度を上げ、リソースが使用されないために通信効率が低下することを防ぐことを可能とする。
【０１４０】
なお、上述した例では、子機STAが、トラフィックに関する情報(Traffic Info)を送信し、基地局APが、トラフィックに関する情報に基づいて時間リソースの割り当てを行い、リソースに関する情報(Schedule)を送信するようにした。
【０１４１】
しかしながら、これらの機能は反対でもよい。すなわち、基地局APが、トラフィックに関する情報を送信し、子機STAが、トラフィックに関する情報に基づいて時間リソースの割り当てを行い、リソースに関する情報を送信するようにしてもよい。
【０１４２】
なお、通信装置１０は、基地局APまたは子機STAを構成する装置の一部（例えば、通信モジュールや通信用チップ等）として構成されるようにしてもよい。また、通信装置１０、基地局AP、または、子機STAは、例えば、スマートフォン、タブレット型端末、携帯電話機、パーソナルコンピュータ、デジタルカメラ、ゲーム機、テレビ受像機、ウェアラブル端末、スピーカ装置などの無線通信機能を有する電子機器（の一部）として構成することができる。
【０１４３】
また、上述した説明において、通信とは、無線通信は勿論、無線通信と有線通信とが混在した通信、すなわち、ある区間では無線通信が行われ、他の区間では有線通信が行われるようなものであってもよい。さらに、ある装置から他の装置への通信が有線通信で行われ、他の装置からある装置への通信が無線通信で行われるようなものであってもよい。
【０１４４】
本技術の実施の形態は、上述した実施の形態に限定されるものではなく、本技術の要旨を逸脱しない範囲において種々の変更が可能である。
【０１４５】
本明細書において、フローチャートに記述されたステップは、記載された順序に沿って時系列的に行われる場合はもちろん、必ずしも時系列的に処理されなくとも、並列に、あるいは呼び出しが行われたとき等の必要なタイミングで実行されてもよい。
【０１４６】
なお、本明細書に記載された効果はあくまで例示であって限定されるものではなく、本明細書に記載されたもの以外の効果があってもよい。
【０１４７】
なお、本技術は以下のような構成も取ることができる。
（１）
アンライセンス帯である第１の周波数帯域で通信を行う第１通信部と、
前記第１の周波数帯域と異なるアンライセンス帯の第２の周波数帯域で通信を行う第２通信部と、
第１の通信装置から送信されてくる、前記第２の周波数帯域におけるリソースに関する情報に基づいて、前記第１の周波数帯域による通信と、前記第２の周波数帯域による通信とのうち、いずれかの周波数帯域を用いてデータを送信するように制御する制御部と
を備える通信装置。
（２）
前記第１通信部は、前記第１の周波数帯域において、自律分散的に通信機会を獲得する第１方式で通信を行い、
前記第２通信部は、前記第２の周波数帯域において、前記第１の通信装置が割り当てた通信機会を用いる第２方式で通信を行う
前記（１）に記載の通信装置。
（３）
前記制御部は、前記第１の周波数帯域による通信と、前記第２の周波数帯域による通信とのうち、送信が先に完了すると判断される周波数帯域を用いてデータを送信するように制御する
前記（１）または（２）に記載の通信装置。
（４）
前記制御部は、前記第１通信部または前記第２通信部のいずれか一方により、トラフィックに関する情報を、前記第１の通信装置に送信させる
前記（１）乃至（３）のいずれかに記載の通信装置。
（５）
前記制御部は、前記第１の周波数帯域において送信抑制をしている期間に、前記リソースに関する情報に基づき、前記第２の周波数帯域を用いて通信を行わせる
前記（１）乃至（４）のいずれかに記載の通信装置。
（６）
前記制御部は、第２の通信装置のリソース割り当てが利用されていないと判断された場合に、前記第２の通信装置のリソースを利用して、通信を行うように制御する
前記（１）乃至（５）のいずれかに記載の通信装置。
（７）
前記第２の通信装置のリソース割り当てが利用されていないかの判断は、キャリアセンスに基づいて実施される
前記（６）に記載の通信装置。
（８）
前記第２の通信装置のリソース割り当てが利用されていないと判断された場合の通信は、前記第２の通信装置に割り当てられたリソース内で行われる
前記（６）または（７）に記載の通信装置。
（９）
前記第２の通信装置のリソース割り当てが利用されていないと判断された場合の通信は、リソースが割り当てられていない通信装置の通信方法に関する情報に基づいて行われる
前記（６）乃至（８）のいずれかに記載の通信装置。
（１０）
前記リソースが割り当てられていない通信装置の通信方法に関する情報には、送信機会獲得方法に関する情報が含まれる
前記（９）に記載の通信装置。
（１１）
アンライセンス帯である第１の周波数帯域で通信を行う第１通信部と、
前記第１の周波数帯域と異なるアンライセンス帯の第２の周波数帯域で通信を行う第２通信部とを備える通信装置が、
第１の通信装置から送信されてくる、前記第２の周波数帯域におけるリソースに関する情報に基づいて、前記第１の周波数帯域による通信と、前記第２の周波数帯域による通信とのうち、いずれかの周波数帯域を用いてデータを送信するように制御する
通信方法。
（１２）
アンライセンス帯である第１の周波数帯域で通信を行う第１通信部と、
前記第１の周波数帯域と異なるアンライセンス帯の第２の周波数帯域で通信を行う第２通信部と、
前記第１通信部または前記第２通信部を介して他の通信装置から取得したトラフィックに関する情報に基づいて、前記第２の周波数帯域における前記他の通信装置のリソースの割り当てを行う制御部と
を備える通信装置。
（１３）
前記第１通信部は、前記第１の周波数帯域において、前記他の通信装置が自律分散的に通信機会を獲得する第１方式で通信を行い、
前記第２通信部は、前記第２の周波数帯域において、自身が割り当てた前記リソースを用いて前記他の通信装置が通信する第２方式で通信を行う
前記（１２）に記載の通信装置。
（１４）
前記他の通信装置のリソースの割り当ては、前記トラフィックに関する情報に含まれる、データの最大許容遅延時間に基づき決定される
前記（１２）または（１３）に記載の通信装置。
（１５）
前記他の通信装置のリソースの割り当てには、複数の前記他の通信装置に同一のリソースを割り当てることを含む
前記（１２）乃至（１４）のいずれかに記載の通信装置。
（１６）
前記他の通信装置のリソースの割り当てに関する情報は、前記他の通信装置を含む複数の通信装置に送信される
前記（１２）乃至（１５）のいずれかに記載の通信装置。
（１７）
前記他の通信装置のリソースの割り当てに関する情報には、リソースが割り当てられていない他の通信装置が通信を行ってもよいことを示す情報を含む
前記（１６）に記載の通信装置。
（１８）
前記他の通信装置のリソースの割り当てに関する情報には、リソースが割り当てられていない他の通信装置が通信を行う場合の通信方法に関する情報を含む
前記（１６）または（１７）に記載の通信装置。
（１９）
前記通信方法に関する情報には、送信機会獲得方法に関する情報を含む
前記（１８）に記載の通信装置。
（２０）
アンライセンス帯である第１の周波数帯域で通信を行う第１通信部と、
前記第１の周波数帯域と異なるアンライセンス帯の第２の周波数帯域で通信を行う第２通信部とを備える通信装置が、
前記第１通信部または前記第２通信部を介して他の通信装置から取得したトラフィックに関する情報に基づいて、前記第２の周波数帯域における前記他の通信装置のリソースの割り当てを行う
通信方法。
【符号の説明】
【０１４８】
１  無線通信システム，  AP（AP１，AP２）  基地局，  STA（STA１ａ,STA１ｂ,STA２）  子機，  １０  通信装置，  ２１  制御部，  ２２（２２A，２２B）  通信部，  ３１  データ処理部，  ３２  無線制御部
【図１】
2020145182.tif 000003
【図２】
2020145182.tif 000004
【図３】
2020145182.tif 000005
【図４】
2020145182.tif 000006
【図５】
2020145182.tif 000007
【図６】
2020145182.tif 000008
【図７】
2020145182.tif 000009
【図８】
2020145182.tif 000010
【図９】
2020145182.tif 000011
【図１０】
2020145182.tif 000012
【図１１】
2020145182.tif 000013
【国際調査報告】
2020145182.tif 000014
2020145182.tif 000015
2020145182.tif 000016
2020145182.tif 000017
2020145182.tif 000018
2020145182.tif 000019
2020145182.tif 000020
2020145182.tif 000021